【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
コンピューター実装方法であって、
コンテンツ項目に関係する第１アプリケーション内から前記コンテンツ項目をフォローする選択を受けて、前記コンテンツ項目を表示するステップと、
ユーザーのために、プライベート・ネットワークにおいてフォロー・コンテンツ項目に対する参照を格納するステップであって、参照が、前記コンテンツ項目の位置および前記コンテンツ項目についてのコンテキスト情報を含み、前記プライベート・ネットワークが前記第１アプリケーションを含まない、ステップと、
前記第１アプリケーションとは別個の第２アプリケーションのユーザー・インターフェースの中央位置に前記参照を表示するステップであって、前記第２アプリケーションが前記プライベート・ネットワークのコンポーネントである、ステップと、
各フォロー・コンテンツ項目についてのコンテキスト情報を、その参照と共に表示するステップと、
追加情報についての選択を受けることに応答して、フォロー・コンテンツ項目についての追加情報および追加機能を表示するステップと、
協調アプリケーションを用いて、コンテンツ項目を、前記プライベート・ネットワークの他のユーザーと協調して修正するステップと
を含む、方法。
【請求項２】
ユーザーの前記フォロー・コンテンツ項目が、異なるタイプのコンテンツ項目を含む、請求項１記載の方法。
【請求項３】
請求項２記載の方法において、コンテンツ項目のタイプが、ワープロ文書、表計算文書、プレゼンテーション文書、ウェブ・サイト、ユニフォーム・リソース・ロケーター（ＵＲＬ）、リアル・シンプル・シンディケーション（ＲＳＳ）フィード、カレンダー・イベント、タスク、ディスカッション・スレッド、ディスカッション掲示板、コンテンツ項目のライブラリ、コンテンツ項目のリスト、ディレクトリ、メディア・ファイル、およびネットワーク・サイトの内少なくとも１つを含む、方法。
【請求項４】
請求項１記載の方法において、フォロー・コンテンツ項目についてのコンテキスト情報を表示するステップが、アイコン、タイトル、タイプ、フォローした日付、修正した日付、アドレス、位置、キーワード、作成者、編集者、およびコメンターの内少なくとも１つを表示するステップを含む、方法。
【請求項５】
請求項４記載の方法であって、更に、
タイトル、タイプ、フォローした日付、修正した日付、作成者、編集者、およびコメンターの内少なくとも１つにしたがって、前記表示された参照を格納するステップと、
タイトル、タイプ、フォローした日付、修正した日付、作成者、編集者、およびコメンターの内少なくとも１つにしたがって、前記表示された参照を選別するステップと
の内少なくとも１つを含む、方法。
【請求項６】
請求項１記載の方法であって、更に、
前記コンテンツに対する参照が選択されたときに、コンテンツ項目を開くステップを含む、方法。
【請求項７】
請求項１記載の方法において、追加情報を表示するステップが、プレビュー、修正通知、編集日付、編集者、コメンター、および会話の内少なくとも１つを表示するステップを含む、方法。
【請求項８】
請求項１記載の方法において、追加機能を表示するステップが、前記コンテンツ項目を開く、前記コンテンツ項目についての通知を管理する、会話を開始する、前記コンテンツ項目についての会話にコメントを追加する、どの追加機能を表示すべきか選別する、および前記コンテンツ項目を他人と共有することの内少なくとも１つに対して、選択可能な選択肢を表示するステップを含む、方法。
【請求項９】
請求項１記載の方法であって、更に、
フォロー・コンテンツ項目の修正についての情報をキャッシュに格納するステップと、
前記フォロー・コンテンツ項目に対する参照が表示されたときに、前記格納された情報を取り込むステップ、および前記フォロー・コンテンツ項目から追加情報を取り込むステップの内少なくとも１つのステップと、
前記格納され取り込まれた情報および前記取り込まれた追加情報の内少なくとも１つを、フォロー・コンテンツ項目についての前記追加情報および追加機能と共に表示するステップと
を含む、方法。
【請求項１０】
装置であって、
処理ユニットと、
前記処理ユニットに通信可能に結合されたメモリと、
前記処理ユニット上で動作する収集マネージャーであって、
ユーザーについてのフォロー・コンテンツ項目に対する参照を前記メモリに格納し、前記フォロー・コンテンツ項目がプライベート・コンテンツ項目を含み、参照が、フォロー・コンテンツ項目の位置および前記フォロー・コンテンツ項目についてのコンテキスト情報を含み、
何れの前記フォロー・コンテンツ項目にも関係しない第２アプリケーションのユーザー・インターフェースの中央位置に、前記参照を表示し、
各フォロー・コンテンツ項目についてのコンテキスト情報を、その参照と共に表示し、
追加情報についての選択を受けることに応答して、前記フォロー・コンテンツ項目についての追加情報および追加機能を表示し、
前記プライベート・コンテンツ項目を、認証されたユーザーと共有し、
認証されたユーザーがプライベート・ネットワークを介して協調アプリケ−ションを用いることによって、コンテンツ項目を修正するのを許可し、前記プライベート・ネットワークが、前記フォロー・コンテンツ項目を選択したクライアント・デバイスには結合されない、
収集マネージャーと
を含む、装置。
【請求項１１】
請求項１０記載の装置において、前記収集マネージャーが、更に、
前記フォロー・コンテンツ項目に対する参照の近傍においてセレクターが検出されたときに、追加情報の選択を受けるように動作する、装置。
【請求項１２】
請求項１０記載の装置において、前記収集マネージャーが、更に、
フォロー・コンテンツ項目についてのコンテキスト情報を表示し、前記コンテキスト情報が、アイコン、タイトル、タイプ、フォローした日付、修正した日付、アドレス、位置、キーワード、作成者、編集者、およびコメンターの内少なくとも１つを含み、
タイトル、タイプ、フォローした日付、修正した日付、作成者、編集者、およびコメンターの内少なくとも１つにしたがって、前記表示された参照を並び替え、
タイトル、タイプ、フォローした日付、修正した日付、キーワード、位置、作成者、編集者、およびコメンターの内少なくとも１つにしたがって、前記表示された参照を選別する、
ように動作する、装置。
【請求項１３】
請求項１０記載の装置において、前記収集マネージャーが、更に、
前記フォロー・コンテンツ項目に対する参照が表示されたときに、前記格納された情報を取り込むこと、および前記フォロー・コンテンツ項目から追加情報を取り込むことの内少なくとも１つを行い、
前記格納され取り込まれた情報および前記取り込まれた追加情報の内少なくとも１つを、フォロー・コンテンツ項目についての前記追加情報および追加機能と共に表示する、
ように動作する、装置。
【請求項１４】
請求項１０記載の装置において、前記収集マネージャーが、更に、
プレビュー、修正通知、編集日付、および会話の内少なくとも１つを含む追加情報を表示し、
前記コンテンツ項目を開く、前記コンテンツ項目についての通知を管理する、会話を開始する、前記コンテンツ項目についての会話にコメントを追加する、どの追加機能を表示するかを選別する、および前記コンテンツ項目を他人と共有することの内少なくとも１つに対して、選択可能な選択肢を表示する、
ように動作する、装置。